(57)【要約】【課題】釣竿支持具に適用される締付力調整部材の提供。釣竿の着脱作業が簡単であり、且つ実釣において邪魔にならない締付力調整部材の提供。【解決手段】締付力調整部材１７は、環状のケース８１と、一対の操作レバー８２、８３とを有する。ケース８１の内側に螺合リング８４が嵌め込まれている。螺合リング８４の内面にねじ部８８が形成されている。螺合リング８４は矢印８９の方向に沿ってスライドすることができ、ケース８１に収納された位置と突出した位置との間で変位する。螺合リング８４が変位することによって、当該螺合リング８４は、ケース８１に対して相対的に回転し、また回転がロックされる。【選択図】図４
2014212761.tif 000002
【特許請求の範囲】
【請求項１】
所定の被固定部に固定されるベース上に釣竿のバット部を長手方向に隔てられた二箇所で支持する第１支持部及び第２支持部が設けられ、当該第２支持部は、上記ベース上に立設されたポスト及び当該ポストと協働して上記バット部を挟み込む挟持部材を備えている釣竿支持具に適用され、上記ポストに外嵌され且つ上記挟持部材と螺合し、操作されることによって上記挟持部材を上記ポストに対して接離させて上記バット部の締付力を調整する締付力調整部材であって、
環状のケースと、
当該ケースに設けられ、当該ケースの径方向外方に対向して延びる一対の操作レバーと、
上記ケース内に嵌め込まれ、当該ケースの中心軸方向にスライドすることにより当該ケースに対する回転が規制される第１位置及び回転が許容される第２位置の間で変位可能であり且つ上記挟持部材と螺合し得るねじ部が形成された螺合リングとを有する締付力調整部材。
【請求項２】
上記ケースは正多角形の貫通孔が形成されており、且つ上記中心軸方向に沿って当該貫通孔の両側に上記ケースが円形に切り欠かれることにより形成された段部が設けられ、
上記螺合リングの外周面のうち上記中心軸方向一方側部分は、上記ケースの貫通孔と嵌合する正多角形に形成され、上記中心軸方向他方側部分は、上記貫通孔の仮想内接円の外径よりも小さい外径の円形に形成されており、
上記螺合リングの上記中心軸方向の端部に当該螺合リングが上記ケースから脱落することを防止する位置決めリングが嵌め込まれている請求項１に記載の締付力調整部材。
【請求項３】
所定の被固定部に固定されるベース上に釣竿のバット部を長手方向に隔てられた二箇所で支持する第１支持部及び第２支持部が設けられ、当該第２支持部は、上記ベース上に立設されたポスト及び当該ポストと協働して上記バット部を挟み込む挟持部材を備えている釣竿支持具に適用され、上記ポストに外嵌され且つ上記挟持部材と螺合し、操作されることによって上記挟持部材を上記ポストに対して接離させて上記バット部の締付力を調整する締付力調整部材であって、
上記挟持部材と螺合するねじ部が設けられた環状の本体と、
当該本体に連結され、本体の径方向に延びる第１姿勢と軸方向に延びる第２姿勢との間で姿勢変化可能に設けられた操作レバーとを有する締付力調整部材。
【請求項４】
上記操作レバーは、上記本体にヒンジ結合されている請求項３に記載の締付力調整部材。
【請求項５】
所定の被固定部に固定されるベース上に釣竿のバット部を長手方向に隔てられた二箇所で支持する第１支持部及び第２支持部が設けられ、当該第２支持部は、上記ベース上に立設されたポスト及び当該ポストと協働して上記バット部を挟み込む挟持部材を備えている釣竿支持具に適用され、上記ポストに外嵌され且つ上記挟持部材と螺合し、操作されることによって上記挟持部材を上記ポストに対して接離させて上記バット部の締付力を調整する締付力調整部材であって、
上記挟持部材と螺合するねじ部が設けられた環状の本体と、
基端及び先端を有し、当該基端から先端までが上記本体の外周面に沿うように湾曲して配置されており、上記基端が上記本体の軸方向に沿う回動中心軸を中心に回動自在に連結されている操作レバーとを有する締付力調整部材。
【請求項６】
上記操作レバーと上記本体との接触状態を一定の磁力によって保持する手段が設けられている請求項５に記載の締付力調整部材。
【発明の詳細な説明】
【技術分野】
【０００１】
本発明は、釣竿を船体等に対して着脱自在に支持する釣竿支持具に適用される締付力調整部材の構造に関するものである。
【背景技術】
【０００２】
船釣りでは、釣竿は、一般に釣竿支持具を介して船縁に支持される（たとえば特許文献１及び特許文献２参照）。釣竿支持具は、船縁に固定される本体と、この本体の上部に設けられたヘッド部とを有する。このヘッド部は、釣竿が載置されるシート部材及び当該シート部材と協働して釣竿の所定部（通常はバット部）をクランプする挟持部材を備えている。
【０００３】
上記特許文献１に開示された挟持部材は、シート部材と直接に螺合しており、他方、上記特許文献２に開示された挟持部材は、締付ナットを介してシート部材に取り付けられている。この締付ナットが回転操作されることにより、上記挟持部材がシート部材に対して接離することができるようになっている。そして、挟持部材がシート部材に近接することによって釣竿が両者間に挟み込まれて固定され、他方、挟持部材がシート部材から離反することによって釣竿の固定が解除される。つまり、この締付ナットは、挟持部材が釣竿を締め付ける力を調整する。
【先行技術文献】
【特許文献】
【０００４】
【特許文献１】特許第４４８４７８６号公報
【特許文献２】特許第４２４０３３４号公報
【発明の概要】
【発明が解決しようとする課題】
【０００５】
上記特許文献２に開示された釣竿支持具では、締付ナットと挟持部材との螺合が外されない限り、釣人は釣竿を釣竿支持具から取り外すことができない。しかも、締付ナットは、シート部材と挟持部材との狭い空間に配置されているから、その操作は容易ではなく、その結果、従来の釣竿支持具では、釣竿の着脱は煩わしい作業の一つとなっていた。
【０００６】
その一方、締付ナットにたとえば操作ハンドルが設けられると、締付ナットの回転操作は容易になる。しかしながら、この操作ハンドルが締付ナットから突出するものである場合は、釣人にとって当該操作ハンドルが邪魔になって釣竿操作がしにくくなるという新たな問題が生じる。
【０００７】
本発明は、かかる背景のもとになされたものであって、釣竿支持具に適用され、釣竿の着脱作業を簡単なものとし、しかも実釣において邪魔にならない締付力調整部材を提供することである。
【課題を解決するための手段】
【０００８】
(1) 本発明に係る締付力調整部材は、所定の被固定部に固定されるベース上に釣竿のバット部を長手方向に隔てられた二箇所で支持する第１支持部及び第２支持部が設けられ、当該第２支持部は、上記ベース上に立設されたポスト及び当該ポストと協働して上記バット部を挟み込む挟持部材を備えている釣竿支持具に適用される。この締付力調整部材は、上記ポストに外嵌され且つ上記挟持部材と螺合し、操作されることによって上記挟持部材を上記ポストに対して接離させて上記バット部の締付力を調整するものであって、環状のケースと、当該ケースに設けられ、当該ケースの径方向外方に対向して延びる一対の操作レバーと、上記ケース内に嵌め込まれ、当該ケースの中心軸方向にスライドすることにより当該ケースに対する回転が規制される第１位置及び回転が許容される第２位置の間で変位可能であり且つ上記挟持部材と螺合し得るねじ部が形成された螺合リングとを有する。
【０００９】
この発明によれば、螺合リングが第１位置に変位した状態で操作レバーが回転されると、ケース及び螺合リングが回転し、挟持部材がポストに対して接離してバット部の締付力が調整される。しかも、一対の操作レバーが上記ケースに対して径方向に対向配置されているから、ユーザーが操作レバーを操作する作業が非常に簡単になる。ところで、上記締付力が調整された状態では、操作レバーがバット部の長手方向とは異なる方向に延びる状態となることも考えられ、このような場合では、操作レバーが釣りの邪魔になってしまう。しかしながら、上記螺合リングが第２位置に変位することができ、当該位置では、螺合リングが上記ケース及び操作レバーに対して自由に回転する。したがって、螺合リングが第２位置に変位することによって、上記締付力が維持されたままでケース及び操作レバーが相対的に回転、当該操作レバーが上記バットの長手方向に沿わされる。その結果、操作レバーが釣りの邪魔になることはない。
【００１０】
(2) 上記ケースは正多角形の貫通孔が形成されており、且つ上記中心軸方向に沿って当該貫通孔の両側に上記ケースが円形に切り欠かれることにより形成された段部が設けられていてもよい。また、上記螺合リングの外周面のうち上記中心軸方向一方側部分は、上記ケースの貫通孔と嵌合する正多角形に形成され、上記中心軸方向他方側部分は、上記貫通孔の仮想内接円の外径よりも小さい外径の円形に形成されていてもよい。さらに、上記螺合リングの上記中心軸方向の端部に当該螺合リングが上記ケースから脱落することを防止する位置決めリングが嵌め込まれているのが好ましい。
【００１１】
この構成では、上記螺合リングは上記ケース内に嵌め込まれ、上記中心軸方向に沿って移動することができる。つまり、上記螺合リングが上記中心軸方向に沿って移動し、螺合リングがケースの貫通孔と嵌合したとき、当該螺合リングが上記第１位置に変位したことになり、上記螺合リングと上記ケースとの嵌合が外れたとき、当該螺合リングが上記第１２置に変位したことになる。したがって、螺合リングが上記中心軸方向にずらされるだけで、当該螺合リングの位置変更がきわめて容易に行われる。
【００１２】
(3) 本発明に係る締付力調整部材は、所定の被固定部に固定されるベース上に釣竿のバット部を長手方向に隔てられた二箇所で支持する第１支持部及び第２支持部が設けられ、当該第２支持部は、上記ベース上に立設されたポスト及び当該ポストと協働して上記バット部を挟み込む挟持部材を備えている釣竿支持具に適用される。この締付力調整部材は、上記ポストに外嵌され且つ上記挟持部材と螺合し、操作されることによって上記挟持部材を上記ポストに対して接離させて上記バット部の締付力を調整する締付力調整部材であって、上記挟持部材と螺合するねじ部が設けられた環状の本体と、当該本体に連結され、本体の径方向に延びる第１姿勢と軸方向に延びる第２姿勢との間で姿勢変化可能に設けられた操作レバーとを有する。
【００１３】
この発明によれば、本体が挟持部材と螺合しているので、操作レバーが回転されると、本体が回転し、挟持部材がポストに対して接離してバット部の締付力が調整される。このとき、操作レバーが第１姿勢に変位されることにより、本体が容易に回転される。ところで、上記締付力が調整された状態では、操作レバーがバット部の長手方向とは異なる方向に延びる状態となることも考えられ、このような場合では、操作レバーが釣りの邪魔になってしまう。しかしながら、操作レバーが第２姿勢に変位されることにより、当該操作レバーは、本体の軸方向に延びる。つまり、操作レバーが折り曲げられた状態となるから、操作レバーが釣りの邪魔になることはない。
【００１４】
(4) 上記操作レバーは、上記本体にヒンジ結合されているのが好ましい。
【００１５】
この構成では、操作レバーを変位させる構造及び作業がきわめて簡単である。
【００１６】
(5) 本発明に係る締付力調整部材は、所定の被固定部に固定されるベース上に釣竿のバット部を長手方向に隔てられた二箇所で支持する第１支持部及び第２支持部が設けられ、当該第２支持部は、上記ベース上に立設されたポスト及び当該ポストと協働して上記バット部を挟み込む挟持部材を備えている釣竿支持具に適用される。この締付力調整部材は、上記ポストに外嵌され且つ上記挟持部材と螺合し、操作されることによって上記挟持部材を上記ポストに対して接離させて上記バット部の締付力を調整する締付力調整部材であって、上記挟持部材と螺合するねじ部が設けられた環状の本体と、基端及び先端を有し、当該基端から先端までが上記本体の外周面に沿うように湾曲して配置されており、上記基端が上記本体の軸方向に沿う回動中心軸を中心に回動自在に連結されている操作レバーとを有する。
【００１７】
この発明によれば、本体が挟持部材と螺合しているので、操作レバーが回転されると、本体が回転し、挟持部材がポストに対して接離してバット部の締付力が調整される。このとき、操作レバーが回動されることにより、当該操作レバーは上記本体から径方向に突出した姿勢となる。これにより、当該操作レバーの操作が簡単になり、上記本体が容易に回転される。しかも、上記操作レバーは、回動することによって基端から先端までを上記本体の外周面に沿って配置される。つまり、操作レバーが本体に沿って畳まれた状態となるから、操作レバーが釣りの邪魔になることはない。
【００１８】
(6) 上記操作レバーと上記本体との接触状態を一定の磁力によって保持する手段が設けられているのが好ましい。
【００１９】
この構成では、上記操作レバーが畳まれた状態が上記磁力によって簡単に保持される。一方、ユーザーが操作レバーを操作したいときは上記磁力に抗して操作レバーが簡単に展開される。
【発明の効果】
【００２０】
この発明では、締付力調整部材の簡単な操作によって、釣竿の着脱が容易に行われる。しかも、操作レバーが変位するので、実釣において邪魔にならない位置に収納される。
【図面の簡単な説明】
【００２１】
【図１】図１は、本発明の一実施形態に係る釣竿支持具の一部断面正面図である。
【図２】図２は、本発明の一実施形態に係る第２支持部の分解斜視図である。
【図３】図３は、図２における要部拡大斜視図である。
【図４】図４は、締付力調整部材１７の外観斜視図である。
【図５】図５は、図４におけるＶ−Ｖ断面図である。
【図６】図６は、本発明の一実施形態の第１の変形例に係る締付力調整部材の解斜視図である。
【図７】図７は。第１の変形例に係る締付力調整部材の平面図である。
【図８】図８は、本発明の一実施形態の第２の変形例に係る締付力調整部材の一部分解斜視図である。
【図９】図９は、第２の変形例に係る締付力調整部材の正面図である。
【図１０】図１０は、本発明の一実施形態の第３の変形例に係る締付力調整部材の斜視図である。
【図１１】図１１は、第３の変形例に係る締付力調整部材の斜視図である。
【図１２】図１２は、第３の変形例に係る締付力調整部材の斜視図である。
【図１３】図１３は、第３の変形例の他の変形例に係る締付力調整部材の斜視図である。
【図１４】図１４は、第３の変形例の他の変形例に係る締付力調整部材の斜視図である。
【図１５】図１５は、第３の変形例の他の変形例に係る締付力調整部材の斜視図である。
【発明を実施するための形態】
【００２２】
以下、適宜図面が参照されつつ、好ましい実施形態に基づいて本発明が詳細に説明される。なお、本実施形態は本発明の一実施態様にすぎず、本発明の要旨が変更されない範囲で実施態様が変更され得る。
【００２３】
［概略構成と特徴点］
【００２４】
図１は、本発明の一実施形態に係る釣竿支持具１０の一部断面正面図である。同図は、釣竿支持具１０が釣竿１１を支持している状態を示しており、典型的には、船釣りにおいて船縁に固定された釣竿支持具１０が釣竿１１を水平に支える。
【００２５】
本実施形態では、釣竿１１は、船釣りに供されるものであって、図示されていない釣竿本体と、これに設けられたバット部１２とを有する。同図において矢印３７が示す方向（紙面左右方向）が釣竿１１の長手方向であり、左側が長手方向前側、右側が長手方向後側である。同図では図示されていなが、バット部１２は、フロントグリップ、リールシート、及びバックグリップ等を備えている。同図では、バット部１２の前側部分が釣竿支持具１０に支持された状態が示されている。
【００２６】
この釣竿支持具１０は、ベース１３及び釣竿支持部１４を備えている。この釣竿支持部１４は第１支持部１５及び第２支持部１６を有し、これらがバット部１２を前後二点で支えている。本実施形態に係る釣竿支持具１０の特徴とするところは、第２支持部１６に設けられた締付力調整部材１７の構造である。具体的には、この締付力調整部材１７は、上記バット部１２をロックするロック機構１８の締付力を調整する部材であって、簡単な操作で締付力を調整することができ、しかも、実釣において釣りの邪魔にならないように収納されるようになっている。
【００２７】
図２は、第２支持部１６の分解斜視図である。
【００２８】
［ベース及び第１支持部］
【００２９】
図１が示すように、ベース１３は、たとえば船べりの手摺り１９に固定される。ベース１３は、金属又は樹脂からなり、上部材２０及び下部材２１と、下部材２１に設けられたねじ込み棒２２とを有する。下部材２１は略Ｌ字状に形成されている。下部材２１は、上部材２０の後端に連続しており、上部材２０から下方へ延び且つ前側に湾曲されている。この湾曲された部分に上記ねじ込み棒２２が螺合されている。
【００３０】
上部材２０の下面に上クランプ２３が設けられ、ねじ込み棒２２の上端に下クランプ２４が設けられている。上クランプ２３と下クランプ２４との間に上記手摺り１９が配置され、ねじ込み棒２２がねじ込まれることにより、手摺り１９は、上クランプ２３及び下クランプ２４に挟み込まれる。つまり、ベース１３が手摺り１９に固定される。
【００３１】
第１支持部１５は、典型的には樹脂から構成される。第１支持部１５は、ベース１３の前端部にピン２５を介して連結されており、当該ピン２５を中心にして回動可能である。本実施形態では、第１支持部１５は、前側上方に反り上がるように湾曲しており、上記バット部１２の前側を下方から支えている。また、本実施形態では、第１支持部１５の下面にボルト２６がねじ込まれている。このボルト２６がベース１３に当接することにより、第１支持部１５の起立姿勢が決定される。このボルト２６がベース１３に対して出し入れされることにより、第１支持部１５の起立角度が変化し、上記バット部１２の支持角度が変更され得る。
【００３２】
［第２支持部］
【００３３】
図１及び図２が示すように、第２支持部１６は、上記バット部１２を挟み込む挟持部材９４を備えている。この挟持部材９４は、サブフレーム２７を備えたポスト２８と、このポスト２８に沿って配置された一対のスライダー２９、３０と、スライダー２９、３０をスライドさせる締付力調整部材１７と、ポスト２８と協働して上記バット部１２を挟持するキャップ３２とを有する。また、第２支持部１６は、キャップ３２をスライダー２９、３０に係止するロック機構１８を備えている。
【００３４】
サブフレーム２７は、ポスト２８の台座として機能する。サブフレーム２７の上面に係合突起３１が突設されている。サブフレーム２７は、ピン３４を介してベース１３の上部材２０に回動自在に連結されている。上部材２０とサブフレーム２７との間にねじりコイルバネ３５が介在されており、これにより、サブフレーム２７は、前方へ倒伏するように弾性的に付勢されている。他方、上記上部材２０に位置決めストッパー３６が設けられている。前方へ倒伏するサブフレーム２７は位置決めストッパー３６と当接し、これにより、サブフレーム２７が上下方向に直立している。
【００３５】
図２が示すように、ポスト２８は、円柱状に形成された本体３３と、本体３３の上面に形成されたフランジ部４０とを有する。ポスト２８は、樹脂や金属により構成され、本実施形態では、下面が開放されている。このように下面が開放されているため、ポスト２８は、上記係合突起３１（図１参照）と嵌合することができるようになっている。なお、同図において矢印３７が示す方向が上記長手方向である。本体３３の長手方向後側が切り欠かれており、窓３８が形成されている。この窓３８は、後述される係合レバー４２が挿通されるようになっている。
【００３６】
本体３３の両側面に一対の平面部４１が形成されている。この平面部４１は、本体３３の軸方向（同図では上下方向）に延びており、上記スライダー２９、３０が当接する面である。この平面部４１は、スライダー２９、３０がスライドする際ののスライドベースとして機能する。また、フランジ部４０の上面に座部３９が設けられている。この座部３９は、同図が示すように、内面形状が略円弧状に形成された凹部からなり、上記長手方向（矢印３７に沿う方向）に延びている。したがって、釣竿１１のバット部１２は、座部３９に安定的に載置されるようになっている。なお、本実施形態では、座部３９は、軟質の樹脂（典型的にはポリ塩化ビニル（ＰＶＣ））から構成されている。加えて、本体３３にピン４３が設けられている。このピン４３は、本体３３の内部に配置されており、上記平面部４１間に掛け渡されている。
【００３７】
図１が示すように、上記係合レバー４２は、樹脂又は金属の板状部材から構成されている。係合レバー４２は、上記ピン３３に回動自在に支持されており、ねじりコイルバネ４６により図中右回りに弾性的に付勢されている。ポスト２８が係合突起３１に嵌め込まれた状態で、係合レバー４２の爪部が係合突起３１と係合し、ポスト２８が係合突起３１に係止される。釣人が係合レバー４２を図中左回りに回転させることにより、係合レバー４２と係合突起３１との係合が外れ、ポスト２８は、ベース１３から取り外される。
【００３８】
図３は、図２における要部拡大斜視図であって、ロック機構１８を詳細に示している。
【００３９】
図２及び図３が示すように、スライダー２９、３０は、細長帯状に形成されており、本実施形態では樹脂又は金属から構成される。スライダー２９、３０は、ポスト２８の上記各平面部４１に当接して配置され、ポスト２８を挟んで対向する。スライダー２９、３０の外面４４、４５は外方に向かって膨出されている。外面４４、４５は円弧状に湾曲しており、同図が示すように雄ねじが形成されている。また、外面４４、４５の包絡線は円形を成している。したがって、スライダー２９、３０がポスト２８の外側に配置されることによって、上記包絡線が示す外径を有するねじの一部が構成されている。
【００４０】
スライダー２９、３０の下端部７５、７６は、径方向外方へ屈曲されている。スライダー２９の下端部７５は、前後方向３７の前側から後側へ切り込まれ、且つ中央部７７で屈曲されている。つまり、当該下端部７５は、中央部７７を基点にしてその前側部分が径方向外側へ切り起こされている。他方、スライダー３０の下端部７６は、前後方向３７の後側から前側へ切り込まれ、且つ中央部７８で屈曲されている。つまり、当該下端部７６は、中央部７８を基点にしてその後側部分が径方向外側へ切り起こされている。上記下端部７５、７６が前述のように切り起こされることによる作用効果は、後述される。
【００４１】
［操作レバー］
【００４２】
図４は、締付力調整部材１７の外観斜視図である。
【００４３】
締付力調整部材１７は、ケース８１及び当該ケース８１と一体的に形成された操作レバー８２、８３と、ケース８１内に嵌め込まれた螺合リング８４とを有する。締付力調整部材１７は、スライダー２９、３０がポスト２８に配置された状態で、ポスト２８の下側から嵌め込まれ、且つ上記螺合リング８４がスライダー２９、３０と螺合する。
【００４４】
図５は、図４におけるＶ−Ｖ断面図であり、（ａ）は、螺合リング８４がケース８１に対して回転することができる位置（第２位置）にある状態を示し、（ｂ）は、螺合リング８４がケース８１に対して回転規制された位置（第１位置）にある状態を示している。なお、図３及び図４において、矢印８９の方向がケース８１及び螺合リング８４の軸方向である。
【００４５】
ケース８１及び操作レバー８２、８３は、樹脂又は金属から構成される。本実施形態では、ポリ塩化ビニル（ＰＶＣ）からなる。ケース８１は、円環状に形成されており、操作レバー８２、８３は、それぞれ矩形平板状に形成されている。操作レバー８２、８３は、ケース８１の直径方向に沿って配置されており、ケース８１を挟んで対向している。
【００４６】
図５が示すように、ケース８１の中央に貫通孔８５が設けられている。この貫通孔８５の内壁面形状は、正六角形である。また、この貫通孔８５の両側（同図では上下）にザグリ加工が施されており、これにより、円形の段部８６、８７が形成されている。
【００４７】
螺合リング８４は、樹脂又は金属から構成される。螺合リング８４の内周面にねじ部８８が形成されている。このねじ部８８は、上記スライダー２９、３０の外面４４、４５と螺合する（図２参照）。螺合リング８４の外周面は、図５が示すように段差が形成されている。すなわち、螺合リング８４の軸方向（矢印８９の方向）の一方側部分９０（同図において下側部分）は、外形形状が正六角形に形成されている。この一方側部分９０の外形形状は上記ケース８１の貫通孔８５の内壁面形状に対応しており、両者はがたつくことなく嵌合する。他方、螺合リング８４の軸方向の他方側部分９１（同図において上側部分）は、外形形状が円形に形成されている。しかも、当該他方側部分９１は、上記貫通孔８５の内側に位置するように形成されている。換言すれば、上記他方側部分９１の外径は、上記正六角形を呈する貫通孔８５の仮想内接円の外径よりも小さく設定されている。したがって、図５（ａ）が示すように、螺合リング８４の一方側部分９０が上記貫通孔８５と嵌合していないときは、螺合リング８４とケース８１との連結が解除され、螺合リング８４はケース８１に対して回動可能となる。
【００４８】
螺合リング８４に一対の位置決めリング９２、９３が嵌め込まれている。これら位置決めリング９２、９３は薄肉円板からなり、上記螺合リング８４の一方側端部及び他方側端部に固定されている。位置決めリング９２、９３の外径は、上記ケース８１の段部８６、８７の内径に対応されており、当該段部８６、８７に嵌め込まれるようになっている。
【００４９】
螺合リング８４が前述のような形状であるから、ケース８１内において軸方向（矢印８９の方向）に変位することができる。前述のように、図５（ｂ）が示す位置に変位したときは、螺合リング８４がケース８１の貫通孔８５と嵌合し、両者は互いに固定される。このとき、位置決めリング９３が設けられているから、螺合リング８４が図中上方へ外れてしまうことが防止される。また、螺合リング８４が図５（ａ）が示す位置に変位したときは、螺合リング８４とケース８１との嵌合が外れ、両者は相対的に回動可能となる。このとき、位置決めリング９２が設けられているから、螺合リング８４が図中下方へ外れてしまうことが防止される。
【００５０】
図２が示すように、締付力調整部材１７がポスト２８の外側から嵌め込まれ、上記螺合リング８４が上記スライダー２９、３０の外面４４、４５と螺合する。このとき、スライダー２９、３０の下端部７５、７６が前述のように切り起こされているので、締付力調整部材１７がスライダー２９、３０と螺合する際には、上記下端部７５、７６が一旦径方向内側に弾性変形される。もっとも、スライダー２９、３０の材質によっては下端部７５、７６の弾性変形が困難な場合もある。その場合は、締付力調整部材１７がスライダー２９、３０にねじ込まれた後に、上記下端部７５、７６が切り起こされる。
【００５１】
ポスト２８はフランジ部４０を有するから、これにより締付力調整部材１７は、同図において上方向きの移動が規制される。したがって、締付力調整部材１７がねじ込まれると、スライダー２９、３０が下方へ移動する。すなわち、釣人が締付力調整部材１７を後述のように操作することによって、スライダー２９、３０をポスト２８の座部３９に接離させることができる。また、スライダー２９、３０の下端部７５、７６が前述のように切り起こされているので、締付力調整部材１７がスライダー２９、３０と螺合した後は、両者が上下方向に相対的に変位して分離されることはない。つまり、上記下端部７５、７６が締付力調整部材１７の抜け止めとして機能する。
【００５２】
スライダー２９の上端部にピン結合部４７が設けられている。ピン結合部４７は、円柱状に形成され、中央に図示されていない貫通孔が設けられている。この貫通孔に後述のピン４８が挿通され、後に詳述されるキャップ３２がスライダー２９に連結されるようになっている。他方、スライダー３０の上端部に鈎爪４９が設けられている。この鈎爪４９は、図２及び図３が示すように、ポスト２８の径方向外方に突出している。鈎爪４９の上面は、斜め下方に延びる傾斜面５０を構成している。この傾斜面５０の作用効果は後述される。
【００５３】
キャップ３２は、スライダー２９、３０の上方に被せられるようにして配置され、スライダー２９、３０間に掛け渡されている。キャップ３２は、スライダー２９、３０と同様に樹脂又は金属から構成される。本実施形態では、キャップ３２は上方に膨出した円弧状に形成されており、内側に当接板５１が配置されている。この当接板５１は、キャップ３２の形状に対応して湾曲されており、上記ポスト２８の座部３９と同様に軟質の樹脂（典型的にはポリ塩化ビニル（ＰＶＣ））から構成されている。当接板５１の内面５５は、後述されるように釣竿１１のバット部１２に当接し押圧する押圧面を構成する。
【００５４】
キャップ３２の一端部に鈎爪５２が形成されている。この鈎爪５２は、図２及び図３が示すように、ポスト２８の径方向内方に突出している。鈎爪５２の下面は、斜め上方に延びる傾斜面５３を構成している。この傾斜面５３の作用効果は後述される。また、キャップ３２の他端部５４は、スライダー３０のピン結合部４７に連結されている。ぐたいてきには、キャップ３２の他端部５４は、一対の脚を有するフォーク状に形成されている。当該他端部５４の内側にスライダー３０ピン結合部４７が挿通されている。キャップ３２の各脚に貫通孔が設けられており、上記ピン結合部４７に設けられた貫通孔と位置合わせされた状態でピン４８が嵌め込まれている。つまり、キャップ３２の他端部５４はスライダー３０にクレビスジョイントされており、キャップ３２は、ピン４８を中心として回動することができる。
【００５５】
ロック機構１８は、キャップ３２をスライダー２９、３０に係止するものであり、本実施形態では、スライダー３０のの上端部とキャップ３２の他端部に設けられた鈎爪４９、５２並びに上記キャップ３２の連結構造を含む。
【００５６】
キャップ３２が回動し、鈎爪５２がスライダー２９の鈎爪４９に近接すると、両者は、上下方向に沿って互いに当接する。これにより、鈎爪４９に形成された斜め下方に延びる傾斜面５０と、キャップ３２に形成された斜め上方に延びる傾斜面５３とが当接する。キャップ３２がさらに回動させると、傾斜面５３と傾斜面５０に案内されるようにして移動し、両者がポスト２８の径方向に弾性変形しながら相対的に移動し、その結果、ラッチ形式で係合し合う。これにより、キャップ３２の内面５５とポスト２８の座部３９とが対向し、バット部１２の下側がポスト２８の座部３９に載置され、上側がキャップ３２の当接板５１に当接し、座部３９及び当接板５１によってバット部１２が挟み込まれる。なお、キャップ３２及びスライダー２９は弾性変形が可能であるから、釣人が鈎爪４９、５２を操作することによって、ロック機構１８による両者の係合が解除される。
【００５７】
［使用要領及び作用効果］
【００５８】
釣竿１１は、次の要領で釣竿支持具１０に着脱される。
【００５９】
まず、締付力調整部材１７の螺合リング８４が第１位置に変位される。つまり、螺合リング８４が、図４が示す状態から上方に移動され、図５（ｂ）が示す位置に変位される。これにより、螺合リング８４はケース８１及びで操作レバー８２、８３と一体的に回転することができる。そして、釣人が締付力調整部材１７を回転させる。すなわち、釣人が操作レバー８２、８２に指を掛けて回転させると、図２が示すようにスライダー２９、３０及びキャップ３２が上方にスライドする。このとき、スライダー２９、３０の下端部７５、７６が締付力調整部材１７の抜け止めとして機能するから、操作レバー８２、８３が操作されたときにスライダー２９、３０がポスト２８から外れることはない。したがって、釣人は、操作レバー８２、８３を操作すれば、簡単且つ確実にキャップ３２を開くことができ、釣竿の着脱操作がきわめて簡単になる。
【００６０】
この状態で鈎爪４９、５２の係合が解除されると、キャップ３２はピン４８を中心に右回りに回動し、ポスト２８の座部３９に対してキャップ３２の内面５５が離反する。釣竿１１のバット部１２は、スライダー２９、３０の間に挿通され、ポスト２８の座部３９に載置される。なお、このバット部１２の前側は、上記第１支持部１５に支持される。その後、キャップ３２が左回りに回動されることにより、キャップ３２の内面５５がバット部１２に上方から当接する。さらにキャップ３２がバット部１２に押し付けられると、一対の鈎爪４９、５２が係合し、キャップ３２の内面５５と及び座部３９によりバット部１２が挟持される。
【００６１】
次に、釣人が操作レバー８２、８２に指を掛けて逆方向に回転させると、ケース８１及び螺合リング８４が回転し、挟持部材９４がポストに対して接離してバット部１２の締付力が調整される。すなわち、締付力調整部材１７が締め込まれることにより、スライダー２９、３０が下方に引き込まれるようにスライドし、バット部１２が確実に締め付けられ固定される。このとき、一対の操作レバー８２、８３は、図４が示すようにケース８１に対して径方向に対向配置されているから、釣人が操作レバー８２、８３に指を掛けてケース８１に偶力を加える操作が非常に簡単である。したがって、上記締付力の調整作業がきわめて簡単であるという利点がある。
【００６２】
ところで、バット部１２の締付力は、ケース８１の回転角度により変化するので、バット部１２に所要の締付力が付与された状態で、操作レバー８２、８３がバット部１２の長手方向とは異なる方向に延びる状態となることもある。このような場合、操作レバー８２、８３が飛び出した状態となり、釣竿１１やリールの操作の邪魔になってしまう。ところが、螺合リング８４は、上記第２位置すなわち図４び図５（ａ）の位置に変位することができる。螺合リング８４がこの位置に変位したときは、螺合リング８４は、ケース８１及び操作レバー８２、８３に対して自由に回転する。したがって、上記締付力が維持されたままでケース８１及び操作レバー８２、８３が相対的に回転し、当該操作レバー８２、８３がバット部１２の長手方向に沿うように配置される。つまり、操作レバー８２、８３が釣竿１１やリールの操作の邪魔にならないように収納される。
【００６３】
本実施形態では、螺合リング８４はケース８１内に嵌め込まれており、図５が示すように中心軸（矢印８９）の方向に沿って移動するだけで、当該螺合リング８４とケース８１とが嵌合して両者が一体的に回動し、又は両者の嵌合が外れる。つまり、螺合リング８４が上記中心軸方向にずらされるだけで、螺合リング８４の位置変更がきわめて容易に行われ、上記操作レバー８２、８３の収納作業が非常に簡単になる。なお、この状態から締付力調整部材１７が再び緩められると、キャップ３２が上方にスライドし、上記鈎爪４９、５２の係合が外されることにより、バット部１２は簡単に第２支持部１６から離脱する。つまり、簡単に釣竿１１が釣竿支持具１０から取り外される。
【００６４】
本実施形態において、上記貫通孔８５の形状及びこれと嵌合する螺合リング８４の一方側部分の形状は、正六角形に形成されている。ただし、これらは正六角形に限定されるものではなく、一般に正多角形であれば良い。
【００６５】
［変形例］
【００６６】
図６は、本実施形態の第１の変形例に係る締付力調整部材１４０の斜視図である。また、図７は、締付力調整部材１００の平面図である。
【００６７】
図６及び図７が示す締付力調整部材１４０が上記実施形態に係る締付力調整部材１７と異なるところは、上記実施形態では、操作レバー８２、８３が矩形平板状に形成されており、ケース８１の直径方向に沿って互いに離反するように配置されていたのに対し、本変形例では、ブロック状に形成された操作レバー１４１〜１４４が、ケース８１の周方向に均等に放射状に配置されている点である。この変形例に係る締付力調整部材１４０も、上記実施形態に係る締付力調整部材１７と同様の作用効果を奏するうえ、操作レバー１４１〜１４４が小型化されているので、より操作性が向上している。
【００６８】
図８は、本実施形態の第２の変形例に係る締付力調整部材１００の一部分解斜視図である。また、図９は、締付力調整部材１００の正面図である。
【００６９】
図８及び図９が示す締付力調整部材１００が上記実施形態に係る締付力調整部材１７と異なるところは、上記実施形態では、操作レバー８２、８３をバット部１２の長手方向に沿って収納するために、ケース８１に対して相対的に回動あるいは固定される螺合リング８４が設けられていたのに対して、本変形例では、操作レバー１０１、１０２が折り畳まれるようになっている点である。これにより、バット部１２の締付力が調整された状態で締付力調整部材１００がバット部１２に対して如何なる角度、姿勢であったとしても、操作レバー１０１、１０２が折り畳まれることによって釣竿等の操作に支障が生じることがない。
【００７０】
図８が示すように、この締付力調整部材１００は、円環状の本体１０３と、この本体１０３の外周面に配置された一対の操作レバー１０１、１０２とを有する。これらは金属又は樹脂により構成される。
【００７１】
本体１０３は、円形リング部１０６と、これに設けられたボス部１０７とを有する。円形リング部１０６の内径は上記螺合リング８４（図４参照）の内径と同一であり、円形リング部１０６の内周面にねじ部１０８が設けられている。また、円形リング部１０６の外周面に永久磁石１０９が配置されている。本変形例では、円形リング部１０６の外周面に矩形の凹部１１０が形成され、この凹部１１０に永久磁石１０９が嵌め込まれ、固定されている。
【００７２】
ボス部１０７は、円形リング部１０６の外周面に設けられたブロック状の部材である。ボス部１０７は円形リング部１０６と一体的に形成されており、径方向に突出している。このボス部１０７に一対のリブ１１１、１１２が設けられている。各リブ１１１、１１２は、薄肉平板からなり、ボス部１０７側面（円形リング部１０６の外周面と連続する面）に左右対称に立設されている。上記操作レバー１０１、１０２は、各リブ１１１、１１２に連結されている。具体的には、各リブ１１１、１１２に貫通孔１１４が設けられており、これら貫通孔１１４は、本体１０３の軸方向（矢印８９の方向）に沿って形成されている。後述されるように、操作レバー１０１、１０２は、上記リブ１１１、１１２と係合され、連結ピン１１３により回動可能に連結されている。
【００７３】
操作レバー１０１は、鈎爪状に形成されている。すなわち、操作レバー１０１は、基端１１６から先端１１７に向かって漸次先鋭化しており、且つ円形リング部１０６の外周面に沿うように湾曲している。また、操作レバー１０１の基端１１６はフォーク状に形成されており、貫通孔１１８が設けられている。この貫通孔１８は、上記本体１０３の軸方向（矢印８９の方向）に沿って形成されている。操作レバー１０１は、上記連結ピン１１３を介して上記リブ１１１にクレビスジョイントされている。
【００７４】
操作レバー１０２も操作レバー１０１と同様の構成であり、図６が示すように左右対象に配置されている。操作レバー１０２は、上記連結ピン１１３を介して上記リブ１１２にクレビスジョイントされている。また、操作レバー１０１、１０２の内側に接着片１１９が設けられている。この接着片１１９は、鋼等の強磁性体材料からなる。
【００７５】
本変形例に係る締付力調整部材１００では、本体１０３が上記挟持部材９４（図１参照）と螺合しているので、釣人が操作レバー１０１、１０２がを転させると本体１０３が回転し、上記挟持部材９４がポスト２８に対して接離してバット部１２の締付力が調整される。このとき、操作レバー１０１、１０２が連結ピン１１３を中心にして回動されることにより、操作レバー１０１．１０２は、図６及び図９が示すように本体１０３から径方向に突出した姿勢となる。釣人は、この操作レバー１０１、１０２を容易に把持することができ、簡単に本体１０３を回転させることができる。つまり、上記締付力を容易に調整することができる。
【００７６】
また、釣人は、操作レバー１０１、１０２を回動させることによって、本体１０３の外周面に沿って配置することができる。つまり、操作レバー１０１、１０２が本体１０３に沿って折り畳まれた状態となるから、操作レバー１０１、１０２が釣りの邪魔になることはない。しかも、操作レバー１０１、１０２が畳まれた状態では、上記永久磁石１０９と接着片１０９間に働く磁力によって、当該畳まれた状態が簡単に保持されるという利点がある。
【００７７】
図１０ないし図１２は、本実施形態の第３の変形例に係る締付力調整部材１２０の斜視図である。
【００７８】
この変形例に係る締付力調整部材１２０が上記実施形態に係る締付力調整部材１７と異なるところは、上記実施形態では、操作レバー８２、８３をバット部１２の長手方向に沿って収納するために、ケース８１に対して相対的に回動あるいは固定される螺合リング８４が設けられていたのに対して、本変形例では、操作レバー１２１が上下方向（すなわちポスト２８の軸方向：図１参照）に屈曲されるようになっている点である。これにより、バット部１２の締付力が調整された状態で締付力調整部材１００がバット部１２に対して如何なる角度、姿勢であったとしても、操作レバー１２１が下方へ折り畳まれることによって釣竿等の操作に支障が生じることがない。
【００７９】
これらの図が示すように、この締付力調整部材１２０は、円環状の本体１２２と、この本体１２２に設けら得た操作レバー１２１とを有する。これらは金属又は樹脂により構成される。
【００８０】
本体１２２は、円形リング部１２４と、これに設けられたボス部１２５とを有する。円形リング部１２４の内径は上記螺合リング８４（図４参照）の内径と同一であり、円形リング部１２４の内周面にねじ部１２６が設けられている。上記ボス部１２５は、円形リング部１２４の外周面に設けられた略台形を呈する板状部材である。ボス部１２５は円形リング部１２４に連続してと一体的に形成されており、径方向に延びている。
【００８１】
このボス部１２５に軸方向（矢印８９の方向）に貫通する貫通孔１２７が設けられている。この貫通孔１２７は、図１０及び図１１が示すように矩形状を呈し、且つ図１２が示すようにボス部１２５の背面１２３と連続している。このため、ボス部１２５の背面１２３に開口１２８が形成されている。なお、この開口１２８は、ボス部１２５の下面１２９にまで達している。また、ボス部１２５に円形リング部１２４の径方向に沿ってピン挿通孔１３０が形成されている。このピン挿通孔１３０は、ボス部１２５の側面１３１、１３２間を連通するように設けられ、上記貫通孔１２７と交差している。このピン挿通孔１３０に連結ピン１３３が挿通されており、上記操作レバー１２１は、連結ピン１３３を介してボス部１２５に連結されている。
【００８２】
操作レバー１２１は、細長の円筒状に形成されている。操作レバー１２１の一端部が上記貫通孔１２７からボス部１２５内に挿通されており、連結ピン１３３が操作レバー１２１を径方向に貫通している。操作レバー１２１は、連結ピン１３３に対して回動自在となっている。したがって、操作レバー１０１は、図１０が示すように、本体１２２の径方向に沿って延びる姿勢（第１姿勢）と、図１１が示すように、本体１２２の軸方向すなわち矢印８９に沿う方向に延びる姿勢（第２姿勢）との間で姿勢変化が可能となっている。
【００８３】
この変形例に係る締付力調整部材１２０は、上記実施形態及び第１の変形例に係る締付力調整部材１７、１００と同様に、操作レバー１２１が回転されると、本体１２２が回転し、挟持部材９４がポスト２８に対して接離してバット部１２の締付力が調整される。このとき、操作レバー１２１が上記第１姿勢に変位されることにより、本体１２２が容易に回転される。しかも、上記締付力が調整された状態は、操作レバー１２１が折り曲げられて上記第２姿勢となるから、操作レバー１２１が釣りの邪魔になることはない。加えて、操作レバー１２１は、連結ピン１３３を介してボス部１２５にヒンジ結合されているから、操作レバー１２１の姿勢を換える作業がきわめて簡単である。
【００８４】
本変形例に係る締付力調整部材１２０は、単一の丸棒部材により操作レバー１２１が構成されていたが、これに限定されるものではない。たとえば、図１３ないし図１５が示すように、ワイヤが屈曲加工されることにより操作レバー１３５が構成されていてもよい。
【００８５】
この場合、操作レバー１３５を構成するワイヤの一部が本体１２２のボス部１３６を貫通している。このボス部１３６に本体１２２の径方向に貫通する貫通孔１３７が設けられており（図１５参照）、上記ワイヤは貫通孔１３７に挿通されている。なお、ボス部１３６に補強リブ１３８、１３９が設けられている。
【符号の説明】
【００８６】
１０  釣竿支持具
１１  釣竿
１２  バット部
１４  釣竿支持部
１５  第１支持部
１６  第２支持部
１７  締付力調整部材
３７  矢印
８１  ケース
８２  操作レバー
８３  操作レバー
８４  螺合リング
８５  貫通孔
８６  段部
８７  段部
８８  ねじ部
８９  矢印
９０  一方側部分
９１  他方側部分
９２  位置決めリング
９３  位置決めリング
９４  挟持部材
１００  締付力調整部材
１０１  操作レバー
１０２  操作レバー
１０３  本体
１０６  円形リング部
１０７  ボス部
１０８  ねじ部
１０９  永久磁石
１１０  凹部
１１１  リブ
１１２  リブ
１１３  連結ピン
１１４  貫通クオ
１１６  基端
１１７  先端
１１８  貫通孔
１１９  接着片
１２０  締付力調整部材
１２１  操作レバー
１２２  本体
１２４  円形リング部
１２５  ボス部
１２６  ねじ部
１２７  貫通孔
１２８  開口
１２９  下面
１３０  ピン挿通孔
１３５  操作レバー
１３６  ボス部
１３７  貫通孔
【図１】
2014212761.tif 000003
【図２】
2014212761.tif 000004
【図３】
2014212761.tif 000005
【図４】
2014212761.tif 000006
【図５】
2014212761.tif 000007
【図６】
2014212761.tif 000008
【図７】
2014212761.tif 000009
【図８】
2014212761.tif 000010
【図９】
2014212761.tif 000011
【図１０】
2014212761.tif 000012
【図１１】
2014212761.tif 000013
【図１２】
2014212761.tif 000014
【図１３】
2014212761.tif 000015
【図１４】
2014212761.tif 000016
【図１５】
2014212761.tif 000017